【手続補正書】
【提出日】平成16年6月15日(2004.6.15)
【手続補正１】
【補正対象書類名】明細書
【補正対象項目名】発明の名称
【補正方法】変更
【補正の内容】
【発明の名称】画像形成装置、画像形成装置に着脱可能なカートリッジ及びメモリ媒体
【手続補正２】
【補正対象書類名】明細書
【補正対象項目名】特許請求の範囲
【補正方法】変更
【補正の内容】
【特許請求の範囲】
【請求項１】
像担持体上に形成された潜像を現像するためにそれぞれ異なる色の現像剤を収容した現像手段を有する複数個のカートリッジが着脱可能な画像形成装置であって、
前記各カートリッジに記憶手段を設け、
一つのカートリッジを使用して単色で画像形成を行うときは、単色で画像形成したことを、その他の非印字色のカートリッジの記憶手段に記憶することを特徴とする画像形成装置。
【請求項２】
像担持体上に形成された潜像を現像するためにそれぞれ異なる色の現像剤を収容した現像手段を有する複数個のカートリッジが着脱可能な画像形成装置であって、
前記画像形成装置は複数の画像形成速度モード機能を備え、
前記各カートリッジには記憶手段を設け、
前記カートリッジの記憶手段には、画像形成速度毎に印字枚数を記憶することを特徴とする画像形成装置。
【請求項３】
像担持体上に形成された潜像を現像するためにそれぞれ異なる色の現像剤を収容した現像手段を有する複数個のカートリッジが着脱可能とされ、且つ複数の画像形成速度モード機能を有し通常の画像形成速度以外の画像形成速度での画像形成を可能とする画像形成装置であって、
前記各カートリッジに記憶手段を設け、
前記記憶手段には、通常の画像形成速度以外の画像形成速度で画像形成された印字枚数を記憶することを特徴とする画像形成装置。
【請求項４】
前記像担持体は複数個設けられ、前記像担持体上の現像された像を転写するか、或いは、前記像担持体上の現像された像を転写するための記録材を担持して搬送するための転写体の移動方向に沿って順次配置されていることを特徴とする請求項１、２又は３画像形成装置。
【請求項５】
前記転写体は、転写ベルトであることを特徴とする請求項４の画像形成装置。
【請求項６】
前記記憶手段は、不揮発性メモリ、非接触型不揮発性メモリ、電源を備えた揮発性メモリであることを特徴とする請求項１〜５のいずれかの項に記載の画像形成装置。
【請求項７】
前記像担持体は、電子写真感光体であり、前記カートリッジに一体的に組み込まれていることを特徴とする請求項１〜６のいずれかの項に記載の画像形成装置。
【請求項８】
前記カートリッジは更に、前記電子写真感光体を帯電させる帯電手段及び／又は電子写真感光体をクリーニングするクリーニング手段を有することを特徴とする請求項７の画像形成装置。
【請求項９】
像担持体上に形成された潜像を現像するためにそれぞれ異なる色の現像剤を収容した現像手段を有する複数色のカートリッジであって、
前記各カートリッジは記憶手段を有し、
一つのカートリッジを使用して単色で画像形成を行うときは、単色で画像形成したことを、その他の非印字色のカートリッジの記憶手段に記憶することを特徴とするカートリッジ。
【請求項１０】
像担持体上に形成された潜像を現像するためにそれぞれ異なる色の現像剤を収容した現像手段を有する複数個のカートリッジであって、
前記各カートリッジは記憶手段を有し、
前記各カートリッジの記憶手段には、画像形成速度毎に印字枚数を記憶することを特徴とするカートリッジ。
【請求項１１】
像担持体上に形成された潜像を現像するためにそれぞれ異なる色の現像剤を収容した現像手段を有する複数個のカートリッジであって、
前記各カートリッジは記憶手段を有し、
前記記憶手段には、通常の画像形成速度以外の画像形成速度で画像形成された印字枚数を記憶することを特徴とするカートリッジ。
【請求項１２】
前記記憶手段は、不揮発性メモリ、非接触型不揮発性メモリ、電源を備えた揮発性メモリであることを特徴とする請求項９、１０又は１１のカートリッジ。
【請求項１３】
前記像担持体は、電子写真感光体であり、前記カートリッジに一体的に組み込まれていることを特徴とする請求項９〜１２のいずれかの項に記載のカートリッジ。
【請求項１４】
前記カートリッジは更に、前記電子写真感光体を帯電させる帯電手段及び／又は電子写真感光体をクリーニングするクリーニング手段を有することを特徴とする請求項１３のカートリッジ。
【請求項１５】
カラー画像形成装置の画像形成装置本体に着脱可能に取り付けることのできる色トナープロセスカートリッジに搭載されたメモリ媒体であって、
前記カラー画像形成装置は、感光体ドラムと、帯電手段と、現像手段と、前記色トナープロセスカートリッジと黒トナープロセスカートリッジとを各々装着するための装着手段と、を備え、
前記カラー画像形成装置は、前記色トナープロセスカートリッジを使用して画像を形成する第一モードと、前記色トナープロセスカートリッジを使用しないでモノクロ画像を形成する第二モードと、を行う機能を有し、
前記メモリ媒体は、前記第一モードに使用する使用データと、前記第二モードに使用する使用データとを記憶する記憶部を有する、ことを特徴とするメモリ媒体。
【請求項１６】
前記色トナープロセスカートリッジが、前記感光体ドラムと、前記帯電手段と、前記現像手段と、を有することを特徴とする請求項１５のメモリ媒体。
【請求項１７】
前記メモリ媒体は、前記画像形成装置本体と非接触にてデータ通信を行うことができることを特徴とする請求項１５または１６に記載のメモリ媒体。
【請求項１８】
カラー画像形成装置の画像形成装置本体に着脱可能に取り付けることのできる色トナープロセスカートリッジに搭載されたメモリ媒体であって、
前記色トナーカートリッジと異なる黒トナープロセスカートリッジを前記画像形成装置本体に取り付けることができ、
前記カラー画像形成装置は、前記色トナープロセスカートリッジを使用して画像を形成する第一モードと、前記色トナープロセスカートリッジを使用しないで単色画像を形成する第二モードと、を行う機能を有し、
前記メモリ媒体は、前記第一モードにおける使用データと、前記第二モードにおける使用データとを記憶する記憶部を有する、ことを特徴とするメモリ媒体。
【請求項１９】
前記色トナープロセスカートリッジは、感光体ドラムと、帯電手段と、現像手段と、を有することを特徴とする請求項１８のメモリ媒体。
【請求項２０】
前記メモリ媒体は、前記画像形成装置本体と非接触にてデータ通信を行うことができることを特徴とする請求項１８または１９に記載のメモリ媒体。
【請求項２１】
画像形成装置に着脱可能であって、現像剤を収容した現像手段を有するカートリッジに搭載されるメモリ媒体であって、
前記画像形成装置は、前記カートリッジを用いて画像形成を行う第一モードと、前記カートリッジを使用しないで画像形成を行う第二モードとを有し、
前記メモリ媒体は、前記第ニモードにおける使用データを記憶する記憶部を有する、ことを特徴とするメモリ媒体。
【請求項２２】
前記記憶部は、さらに、前記第一モードにおける使用データを記憶することを特徴とする請求項２１のメモリ媒体。
【請求項２３】
前記色カートリッジは、感光体ドラムと、帯電手段と、現像手段と、を有することを特徴とする請求項２１または２２に記載のメモリ媒体。
【請求項２４】
前記メモリ媒体は、前記画像形成装置本体と非接触にてデータ通信を行うことができることを特徴とする請求項２１〜２３のいずれかに記載のメモリ媒体。
【手続補正３】
【補正対象書類名】明細書
【補正対象項目名】０００１
【補正方法】変更
【補正の内容】
【０００１】
【発明の属する技術分野】
本発明は、一般には、電子写真方式により像担持体に静電潜像を形成し、この静電潜像を、現像手段を備えそれぞれ異なる色の現像剤を収容した複数個のカートリッジにて顕像化する多色の画像形成装置、及びこの画像形成装置に着脱可能なカートリッジ、即ち、プロセスカートリッジやカートリッジ化された現像装置など、更には、メモリ媒体に関するものである。
【手続補正４】
【補正対象書類名】明細書
【補正対象項目名】００２６
【補正方法】変更
【補正の内容】
【００２６】
本発明は上記問題点に鑑みてなされたものであり、本発明の主たる目的は、多色の画像形成装置において、安価でありながら、且つ、４色の画像形成モード以外のときでも使用されない色のカートリッジの寿命を正確に判断し、更には、ユーザーに報知することのできる画像形成装置及びこの画像形成装置に着脱可能なカートリッジ、更にはメモリ媒体を提供することである。
【手続補正５】
【補正対象書類名】明細書
【補正対象項目名】００２７
【補正方法】変更
【補正の内容】
【００２７】
本発明の他の目的は、ユーザー先で異常が有った場合でも、その不良内容解析を的確に行なうことのできる画像形成装置及びこの画像形成装置に着脱可能なカートリッジ、更にはメモリ媒体を提供することである。
【手続補正６】
【補正対象書類名】明細書
【補正対象項目名】００２８
【補正方法】変更
【補正の内容】
【００２８】
本発明の他の目的は、単色で画像形成を行う際に、単色画像形成した情報を、非印字色の記憶手段に記憶することで４色画像形成モード以外のときでも、使用されない色のカートリッジの寿命を正確に判断することができ、更に、ユーザー先で異常が有った場合でもその不良内容解析を的確に行なうことのできる画像形成装置及びこの画像形成装置に着脱可能なカートリッジ、更にはメモリ媒体を提供することである。
【手続補正７】
【補正対象書類名】明細書
【補正対象項目名】００２９
【補正方法】変更
【補正の内容】
【００２９】
本発明の更に他の目的は、画像形成を通常とは異なる画像形成速度で行う際に、その情報を記憶手段に記憶することでカートリッジの寿命を正確に判断することができ、更に、ユーザー先で異常が有った場合でもその不良内容解析を的確に行なうことのできる画像形成装置及びこの画像形成装置に着脱可能なカートリッジ、更にはメモリ媒体を提供することである。
【手続補正８】
【補正対象書類名】明細書
【補正対象項目名】００３０
【補正方法】変更
【補正の内容】
【００３０】
【課題を解決するための手段】
上記目的は本発明に係る画像形成装置、画像形成装置に着脱可能なカートリッジ及びメモリ媒体にて達成される。要約すれば、
第１の本発明によれば、像担持体上に形成された潜像を現像するためにそれぞれ異なる色の現像剤を収容した現像手段を有する複数個のカートリッジが着脱可能な画像形成装置であって、
前記各カートリッジに記憶手段を設け、
一つのカートリッジを使用して単色で画像形成を行うときは、単色で画像形成したことを、その他の非印字色のカートリッジの記憶手段に記憶することを特徴とする画像形成装置が提供される。
【手続補正９】
【補正対象書類名】明細書
【補正対象項目名】００３９
【補正方法】変更
【補正の内容】
【００３９】
本発明の他の実施態様によると、前記像担持体は、電子写真感光体であり、前記カートリッジに一体的に組み込まれている。更に他の実施態様によると、前記カートリッジは更に、前記電子写真感光体を帯電させる帯電手段及び／又は電子写真感光体をクリーニングするクリーニング手段を有する。
第７の本発明によれば、カラー画像形成装置の画像形成装置本体に着脱可能に取り付けることのできる色トナープロセスカートリッジに搭載されたメモリ媒体であって、
前記カラー画像形成装置は、感光体ドラムと、帯電手段と、現像手段と、前記色トナープロセスカートリッジと黒トナープロセスカートリッジとを各々装着するための装着手段と、を備え、
前記カラー画像形成装置は、前記色トナープロセスカートリッジを使用して画像を形成する第一モードと、前記色トナープロセスカートリッジを使用しないでモノクロ画像を形成する第二モードと、を行う機能を有し、
前記メモリ媒体は、前記第一モードに使用する使用データと、前記第二モードに使用する使用データとを記憶する記憶部を有する、ことを特徴とするメモリ媒体が提供される。本発明の一実施態様によれば、前記色トナープロセスカートリッジが、前記感光体ドラムと、前記帯電手段と、前記現像手段と、を有する。又、他の実施態様によれば、前記メモリ媒体は、前記画像形成装置本体と非接触にてデータ通信を行うことができる。
第８の本発明によれば、カラー画像形成装置の画像形成装置本体に着脱可能に取り付けることのできる色トナープロセスカートリッジに搭載されたメモリ媒体であって、
前記色トナーカートリッジと異なる黒トナープロセスカートリッジを前記画像形成装置本体に取り付けることができ、
前記カラー画像形成装置は、前記色トナープロセスカートリッジを使用して画像を形成する第一モードと、前記色トナープロセスカートリッジを使用しないで単色画像を形成する第二モードと、を行う機能を有し、
前記メモリ媒体は、前記第一モードにおける使用データと、前記第二モードにおける使用データとを記憶する記憶部を有する、ことを特徴とするメモリ媒体が提供される。本発明の一実施態様によれば、前記色トナープロセスカートリッジは、感光体ドラムと、帯電手段と、現像手段と、を有する。他の実施態様によれば、前記メモリ媒体は、前記画像形成装置本体と非接触にてデータ通信を行うことができる。
第９の本発明によれば、画像形成装置に着脱可能であって、現像剤を収容した現像手段を有するカートリッジに搭載されるメモリ媒体であって、
前記画像形成装置は、前記カートリッジを用いて画像形成を行う第一モードと、前記カートリッジを使用しないで画像形成を行う第二モードとを有し、
前記メモリ媒体は、前記第ニモードにおける使用データを記憶する記憶部を有する、ことを特徴とするメモリ媒体が提供される。本発明の一実施態様によれば、前記記憶部は、さらに、前記第一モードにおける使用データを記憶する。他の実施態様によれば、前記色カートリッジは、感光体ドラムと、帯電手段と、現像手段と、を有する。又、他の実施態様によれば、前記メモリ媒体は、前記画像形成装置本体と非接触にてデータ通信を行うことができる。
【手続補正１０】
【補正対象書類名】明細書
【補正対象項目名】００４０
【補正方法】変更
【補正の内容】
【００４０】
【発明の実施の形態】
以下、本発明に係る画像形成装置、画像形成装置に着脱可能なカートリッジ及びメモリ媒体を図面に則して更に詳しく説明する。